(57)【要約】【課題】プラスチック製の内外二重形の瓶栓であって、閉栓操作、開栓操作を容易にし、かつ、瓶口を強固に密封できるようにする。【解決手段】円周方向で密着する内外二重のプラスチック製栓体部材で構成され、外側栓体部材１は、上端のフランジ部３に開口部４を有して比較的に薄肉に形成した有底の筒部５を具え、筒部は、内周面に沿って一端を分厚く他端の薄い凸斜面部６を配置し、内側栓体部材２は、上端のフランジ部７の裏面から上記筒部に嵌合し、かつ、上記凸斜面部の配置間隔の間に嵌り込むよう放射状の翼片を一体に具え、この内外二重の栓体部材からなる瓶栓Ａを瓶口に嵌め、内側栓体部材を回して、翼片の縁部を凸斜面部の高所に乗り上がらせ、瓶口内で筒部の外周面を膨出させて強固に密栓させるようにした瓶栓である。【選択図】図１
2005088944.tif 000002
【特許請求の範囲】
【請求項１】
上下に嵌合し、円周方向で密着し合う内外二重のプラスチック製栓体部材よりなり、瓶口内に直接嵌合してその内周面に密着する外側栓体部材は、上端に具えたフランジ部の中央に開口部を有して下方に連続する比較的に薄肉に形成した有底の筒部を具え、該筒部は内周面に沿って、一端を分厚く他端を薄くして円周方向に斜面を形成する凸斜面部を複数箇所に配置する一方、この外側栓体部材内に嵌合する内側栓体部材は、同じく上端に具えたフランジ部の裏面部中央からそれぞれ上記筒部に嵌合して底部に達する長さを有し、かつ、上記凸斜面部の配置間隔の間に嵌り込むよう放射状に形成された複数の翼片を一体に具え、この内外二重の栓体部材を嵌め合わせて瓶口に嵌め込み、内側栓体部材を上記凸斜面部の斜面の昇り方向に回して、上記各翼片の縁部分を上記各凸斜面部の分厚い所に乗り上がらせ、両部間に生ずる圧迫力によって薄肉に形成した筒部の外周面を瓶口内に膨出させて瓶口を強固に密栓させるように構成したことを特徴とする瓶栓。
【請求項２】
前記外側栓体部材の開口部と、この開口部の内周に密着する前記内側栓体部材の前記フランジ部の裏面部とにアンダーカットを施して、上下に重なる外側栓体部材のフランジ部と内側栓体部材のフランジ部との密着状態を抜け止めするようにしたことと、内側栓体部材のフランジ部の外周に、両部材間の相対的な回転操作を容易にするためのローレットを施したことを特徴とする請求項１記載の瓶栓。
【発明の詳細な説明】
【技術分野】
【０００１】
本発明は、プラスチック製で内外二重に形成した栓体部材からなる瓶栓に関するもので、瓶口に直接嵌合する外側栓体部材内で内側の栓体部材を回転させることにより、外側栓体部材の外周面を瓶口内で膨らませ、それによって強固な密栓状態を得られるようにしたことを特長とするものである。
【背景技術】
【０００２】
例えば一升瓶の栓体として、コルク栓に代わってプラスチック製の栓体が実用に供されていることは周知である。
また、プラスチック製の栓体を内外二重に形成して、内側の栓体部材の圧入により外側の栓体部材を歪ませて瓶口を密封するようにしたものもある（例えば、特許文献１参照）。
また、内外二重のキャップにおいて、外側の栓体の裏面に一体成形した筒部に、外周に突条を設けた中栓体を外嵌させて、突条を押し潰させながら両部材をワンプッシュで瓶口に嵌め込むようにしたものもある（例えば、特許文献２参照）。
【０００３】
【特許文献１】特開平１０−１４７３５５号公報
【特許文献２】特開２００２−３２６６４４号公報周知のプラスチック製の栓体および特許文献１、２の栓体は、何れも密封した栓体を瓶口から外す時の労力がきわめて大きく、強固に密栓すればするほど婦女子の力では開栓し難くなって、道具の助けを借りなければならない欠点がある。
【発明の開示】
【発明が解決しようとする課題】
【０００４】
以上のことから、本発明が解決しようとする第１の課題は、プラスチック製の内外二重の栓体部材からなる瓶栓であって、閉栓操作、開栓操作がともに容易にでき、それでいて瓶口を強固に密封できるようにした栓体を開発することにある。
第２の課題としては、プラスチック製の内外二重の栓体部材を相互に離れ難くして密封状態を維持することと、両栓体部材間の閉栓操作、開栓操作をともにより容易にできるようにすることとを両立させることにある。
【課題を解決するための手段】
【０００５】
そこで本発明は、上記の課題を解決するために、上下に嵌合し、円周方向で密着し合う内外二重のプラスチック製栓体部材よりなり、瓶口内に直接嵌合してその内周面に密着する外側栓体部材は、上端に具えたフランジ部の中央に開口部を有して下方に連続する比較的に薄肉に形成した有底の筒部を具え、該筒部は内周面に沿って、一端を分厚く他端を薄くして円周方向に斜面を形成する凸斜面部を複数箇所に配置する一方、この外側栓体部材内に嵌合する内側栓体部材は、同じく上端に具えたフランジ部の裏面部中央からそれぞれ上記筒部に嵌合して底部に達する長さを有し、かつ、上記凸斜面部の配置間隔の間に嵌り込むよう放射状に形成された複数の翼片を一体に具え、この内外二重の栓体部材を嵌め合わせて瓶口に嵌め込み、内側栓体部材を上記凸斜面部の斜面の昇り方向に回して、上記各翼片の縁部分を上記各凸斜面部の分厚い所に乗り上がらせ、両部間に生ずる圧迫力によって薄肉に形成した筒部の外周面を瓶口内に膨出させて瓶口を強固に密栓させるように構成したことを特徴とする瓶栓を提供するものである。
【０００６】
請求項２の発明は、外側栓体部材の開口部と、この開口部の内周に密着する内側栓体部材のフランジ部の裏面部とにアンダーカットを施して、上下に重なる外側栓体部材のフランジ部と内側栓体部材のフランジ部との間に強固な嵌合状態を形成するようにしたことと、内側栓体部材のフランジ部の外周にローレットを施して、両部材間の相対的な回転操作を容易にしたことを特徴とするものである。
【０００７】
本発明に係る瓶栓は、内側栓体部材のフランジ部を回転し、瓶口に嵌っている外側栓体部材の筒部の中で、放射状に形成した内側栓体部材の翼片を円周方向に回転させると、該翼片の先端、縁部が、筒部の中に具えた凸斜面部の低部から高所に移動しつつ歪む一方で、該縁部と凸斜面部との間に生ずる圧迫力が高まるので、薄肉に形成した該筒部の外周面が膨出し、それによって瓶口を強固に密栓することができる。
【０００８】
この密栓状態において、外側栓体部材のフランジ部の上に重ね合わされている内側栓体部材のフランジ部を逆回転させると、翼片の回転とともに縁部が凸斜面部の高所から離れて低い方に移動して、筒部の外周面の膨出が解除されるので、一体に重ね合わされている外側栓体部材と内側栓体部材すなわち瓶栓を、嵌め込むときと同様に、容易に瓶口から抜き出せるようになる。
【発明の効果】
【０００９】
本発明に係る瓶栓は、上述のように、閉栓操作、開栓操作ともに栓体の上面を形成する内側栓体部材のフランジ部の回転により行なわれるので、周知のねじ形の瓶栓の場合と同様に、閉栓、開栓操作が容易にできる。また、薄肉に形成した筒部の膨出によって瓶口の強固な密栓状態を維持できる。
【発明を実施するための最良の形態】
【００１０】
内外二重のプラスチック製栓体部材からなる瓶栓において、外側栓体部材が瓶口内に嵌入する部分を薄肉の有底筒部に形成するとともに、内周面に沿って凸斜面部を設け、この筒部の内周面に嵌合する内側栓体部材の下部を放射状の翼片で形成し、内側栓体部材の上面部を形成するフランジ部の回転操作により、放射状の翼片を筒部の内周面の凸斜面部の高所と係合させて筒部を膨出させ、それにより瓶口を強固に密栓させるようにする。
上記密栓からの開栓に際しては、内側栓体部材のフランジ部の逆回転操作により、放射状の翼片を筒部内周面の凸斜面部から離間させて瓶栓を抜き出し易くする。
【実施例１】
【００１１】
図１は、実施例の分解斜視図、図２は、組立て状態を示す一部切欠正面図、図３は、同上の筒部と翼片の嵌合状態を示す一部切欠拡大平面図である。
【００１２】
図において、１は、外側栓体部材、２は、内側栓体部材である。
外側栓体部材１は、図２に示すように、上端に瓶口を上面から閉鎖する位の適宜径のフランジ部３を具え、フランジ部３の中央に開口部４を具えて瓶口内に嵌合する部分に比較的に薄肉に形成した有底の筒部５を有する。筒部５は、下部内周面に沿って互いに適宜の間隔を置いて一端が分厚く他端を低くして円周方向に高低差を具え、斜面に形成した凸斜面部６を６カ所に設けている。
内側栓体部材２は、フランジ部３とほぼ同径のフランジ部７と、フランジ部７の下部に連続し、筒部５内に嵌入するよう放射状に形成した６片の翼片８を一体に具えている。
【００１３】
なお、図１には省略されているが、外側栓体部材１の開口部４の口縁と、開口部４に嵌合する内側栓体部材２のフランジ部７の裏面部９との嵌合面の何れか一方には凸形の、他方には凹形のアンダーカット１０を施すことにより、両フランジ部３、７の重ね合わせを積極的に強化し、同時に外側栓体部材１に対して内側栓体部材２の抜け止めを強化している（図２参照）。また、図中１１は、内側栓体部材２のフランジ部７の外周面に施したローレットである。
【００１４】
この瓶栓は、外側栓体部材１の筒部５の中に内側栓体部材２の翼片８を嵌め混み、上部でフランジ部３にフランジ部７を重ね合わせて一体化し、図２に示すように形成した瓶栓Ａを瓶口（図示省略）に嵌合した後、上面を形成している内側栓体部材２のフランジ部７をこの実施例においては右回り（時計回り）に回転すると、筒部５内で一体回転する翼片８の端縁が凸斜面部６の低所から分厚く形成した高所（図示右端）へ乗り移るのにつれて歪むと同時に凸斜面部６を圧迫し、内側から外側へ薄肉の筒部５を膨出させる。
この瓶栓Ａは、上記のようにして瓶口に仮栓した外側栓体部材１の筒部５の膨出により密栓状態を形成する。
【００１５】
上記の密栓状態は、内側栓体部材２のフランジ部７を逆回転させることにより開栓できるようになる。
フランジ部７を左回り（反時計回り）に回転すると、翼片８の端縁が凸斜面部６の高所か低所へ移動して復元するのにつれて、凸斜面部６の圧迫を解除し、薄肉の筒部５の復元により開栓可能の状態に復帰する。
上記した密栓状態の形成、開栓状態への復帰は、内側栓体部材２のフランジ部７の回転操作により行なわれる。この瓶栓の閉栓操作、開栓操作は、従来のねじを採用した瓶栓と同様に大径のフランジ部を把持した操作により行なわれるのできわめて労力が少なくてすみ誰にでも容易にできる。
【産業上の利用可能性】
【００１６】
本発明に係る瓶栓は一升瓶の瓶口用に限らず、各部の大きさ、形状、とともに筒部に設ける凸斜面部と翼片の配分などは、実施例の態様に限定されるものではなく、本発明の要旨に沿って適宜に定めることができる。
【図面の簡単な説明】
【００１７】
【図１】実施例の分解斜視図である。
【図２】組立て状態を示す一部切欠正面図である。
【図３】同上の筒部と翼片の一部切欠拡大平面図である。
【符号の説明】
【００１８】
１  外側栓体部材
２  内側栓体部材
３  フランジ部
４  開口部
５  筒部
６  凸斜面部
７  フランジ部
８  翼片
９  裏面部
１０  アンダーカット
１１  ローレット
【図１】
2005088944.tif 000003
【図２】
2005088944.tif 000004
【図３】
2005088944.tif 000005
【手続補正書】
【提出日】平成15年10月7日(2003.10.7)
【手続補正１】
【補正対象書類名】明細書
【補正対象項目名】００１４
【補正方法】変更
【補正の内容】
【００１４】
この瓶栓は、外側栓体部材１の筒部５の中に内側栓体部材２の翼片８を嵌め込み、上部でフランジ部３にフランジ部７を重ね合わせて一体化し、図２に示すように形成した瓶栓Ａを瓶口（図示省略）に嵌合した後、上面を形成している内側栓体部材２のフランジ部７をこの実施例においては右回り（時計回り）に回転すると、筒部５内で一体回転する翼片８の端縁が凸斜面部６の低所から分厚く形成した高所（図示右端）へ乗り移るのにつれて歪むと同時に凸斜面部６を圧迫し、内側から外側へ薄肉の筒部５を膨出させる。
この瓶栓Ａは、上記のようにして瓶口に仮栓した外側栓体部材１の筒部５の膨出により密栓状態を形成する。